(57)【要約】【課題】地震時に天井材（天井パネル）の破損や脱落が生じることを防止できるように、効果的且つ効率的に耐震補強や耐震改修を図り、耐震性能を向上させることを可能にする吊り天井構造を提供する。【解決手段】吊り部材４を介して建物躯体の上部構造に吊り下げ支持される天井下地７に、天井面を形成する天井材を取り付けてなる吊り天井構造Ｂにおいて、建物躯体９に一端を接続し、天井下地７及び天井材からなる天井部５と上下方向Ｔ３に重なるように突設された支持部１１と、天井部５の端部側に一端を接続し、他端が支持部１１に当接するように突設された滑り部１２とからなる滑り機構１５を備え、支持部１１及び／又は滑り部１２の当接面１３、１４を低摩擦係数の滑り面として形成するとともに、支持部１１の当接面１３を天井部５の端部側から中央側に向かうに従い漸次下方に傾斜する傾斜面として形成する。【選択図】図１
2015218500.tif 000002
【特許請求の範囲】
【請求項１】
吊り部材を介して建物躯体の上部構造に吊り下げ支持される天井下地に、天井面を形成する天井材を取り付けてなる吊り天井構造において、
前記建物躯体に一端を接続し、前記天井下地及び前記天井材からなる天井部と上下方向に重なるように突設された支持部と、前記天井部の端部側に一端を接続し、他端が前記支持部に当接するように突設された滑り部とからなる滑り機構を備え、
前記支持部及び／又は前記滑り部の当接面が低摩擦係数の滑り面として形成されるとともに、前記支持部の当接面が前記天井部の端部側から中央側に向かうに従い漸次下方に傾斜する傾斜面として形成されていることを特徴とする吊り天井構造。
【発明の詳細な説明】
【技術分野】
【０００１】
本発明は、吊り天井の構造に関する。
【背景技術】
【０００２】
従来、例えば学校、病院、生産施設、体育館、プール、空港ターミナルビル、オフィスビル、劇場、シネコン等の建物の天井として、吊り天井が多用されている（例えば、特許文献１、特許文献２、特許文献３参照）。そして、吊り天井（吊り天井構造）Ａには、例えば図３に示すように、水平の一方向Ｔ１に所定の間隔をあけて並設される複数の野縁１と、野縁１に直交し、水平の他方向Ｔ２に所定の間隔をあけて並設され、複数の野縁１に一体に接続して設けられる複数の野縁受け２と、下端を野縁受け２に接続し、上端を上階の床材等の上部構造（建物躯体）３に固着して配設される複数の吊りボルト（吊り部材）４と、野縁１と野縁受け２からなる格子状の天井下地７（野縁１の下面）にビス留めして一体に取り付けられ、天井面（天井部５）を形成する石膏ボードなどの天井パネル（天井材）６とを備えて構成したものがある。
【０００３】
また、例えば図４に示すように、クリーンルームのようにファンフィルターユニット等の大重量の設備機器を天井部５に設置する必要がある吊り天井（吊り天井構造）Ａには、水平の一方向Ｔ１に所定の間隔をあけて並設され、一方向Ｔ１に直交する他方向Ｔ２に延びる複数のＴバー（断面逆Ｔ型の支持部）８と、上端を上部構造に固着し、下端側をＴバー８に接続して配設された複数の吊りボルト（吊り部材）４と、Ｔバー８などからなる天井下地７にビス留めして一体に取り付けられて天井面（天井部５）を形成する天井パネル（天井材）６とを備えて構成したものもある。
【０００４】
ここで、野縁１及び野縁受け２や、Ｔバー８等の天井下地７と天井パネル６を吊りボルト４で吊り下げ支持してなる吊り天井Ａは、その構造上、地震時に作用する水平力によって横揺れしやすい。そして、地震時に横揺れして、天井部５の端部５ａが壁や柱、梁などの建物構成部材（建物躯体）９に衝突し、天井パネル６に破損が生じたり、脱落が生じるおそれがあった。
【０００５】
このため、従来、上部構造３などに上端側を接続し、下端側を吊りボルト４や、野縁１、野縁受け２、Ｔバー８などの天井下地７に接続して補強ブレース１０を設け、天井下地７及び天井パネル６からなる天井部５の地震時の横揺れを抑えるようにしている（図４参照）。
【先行技術文献】
【特許文献】
【０００６】
【特許文献１】特開２００８−１２１３７１号公報
【特許文献２】特開２００５−３５０９５０号公報
【特許文献３】特開２００７−２９１７６１号公報
【発明の概要】
【発明が解決しようとする課題】
【０００７】
一方、補強ブレース１０による耐震補強、耐震改修を行う際には、天井裏空間Ｈに作業員が入って取付作業を行うことが必要になるため、天井（天井パネル６等）を広範囲にわたって取り外す必要が生じる。このため、非常に大掛かりな工事となり、建物を継続的に使用しながら耐震改修等を行うことが困難になる。
また、既存建物の場合、天井裏空間Ｈに配設された配線、配管、エアコン等の付帯設備などが既に存在しているため、補強ブレース１０の設置が容易でなく、補強できる範囲に制限が生じ、十分に対応できないケースがある。
【０００８】
本発明は、上記事情に鑑み、地震時に天井材（天井パネル）の破損や脱落が生じることを防止できるように、効果的且つ効率的に耐震補強や耐震改修を図り、耐震性能を向上させることを可能にする吊り天井構造を提供することを目的とする。
【課題を解決するための手段】
【０００９】
上記の目的を達するために、この発明は以下の手段を提供している。
【００１０】
本発明の吊り天井構造は、吊り部材を介して建物躯体の上部構造に吊り下げ支持される天井下地に、天井面を形成する天井材を取り付けてなる吊り天井構造において、前記建物躯体に一端を接続し、前記天井下地及び前記天井材からなる天井部と上下方向に重なるように突設された支持部と、前記天井部の端部側に一端を接続し、他端が前記支持部に当接するように突設された滑り部とからなる滑り機構を備え、前記支持部及び／又は前記滑り部の当接面が低摩擦係数の滑り面として形成されるとともに、前記支持部の当接面が前記天井部の端部側から中央側に向かうに従い漸次下方に傾斜する傾斜面として形成されていることを特徴とする。
【発明の効果】
【００１１】
本発明の吊り天井構造においては、滑り機構の支持部及び／又は滑り部の当接面が低摩擦係数の滑り面として形成されるとともに、支持部の当接面が天井部の端部側から中央側に向かうに従い漸次下方に傾斜する傾斜面として形成されているため、地震時に天井部が横揺れするとともに、滑り機構によって、天井部に作用した地震エネルギーを吸収して天井部の横揺れを抑止することができ、且つ地震後に天井部を元の初期位置に戻す復元性を付与することができる。
【００１２】
これにより、本発明の吊り天井構造においては、滑り機構を備えることで、補強ブレースを用いなくても天井部の横揺れを抑止することができる。
【００１３】
また、滑り機構が、建物躯体に一端を接続し、天井部と上下方向に重なるように支持部を設置し、天井部の端部側に一端を接続し、他端が支持部に当接するように滑り部を設置するだけで滑り機構を形成できるため、吊り天井構造の耐震改修を行う際に改修範囲が天井部の端部側の局所で済み、補強ブレースを設置する場合のような大規模な改修作業を不要にできる。
【００１４】
これにより、建物を継続的に使用しながら天井耐震改修を行うことが可能になる。また、免震装置のような高価な機構を用いるのではなく、支持部を滑り部を設けるだけの簡易なシステムであるため、低コストで効果的な耐震性能を付与することが可能になる。
【図面の簡単な説明】
【００１５】
【図１】本発明の一実施形態に係る吊り天井構造の滑り機構を示す側面図である。
【図２】本発明の一実施形態に係る吊り天井構造の滑り機構を示す平面図である。
【図３】従来の吊り天井構造を示す天井面側から見た斜視図である。
【図４】従来の吊り天井構造を示す天井裏側から見た斜視図である。
【発明を実施するための形態】
【００１６】
以下、図１及び図２（図３、図４参照）を参照し、本発明の一実施形態に係る吊り天井構造について説明する。ここで、本実施形態は、例えば学校、病院、生産施設、体育館、プール、空港ターミナルビル、オフィスビル、劇場、シネコン等の建物の天井として用いられる吊り天井の構造に関するものである。
【００１７】
本実施形態の吊り天井（吊り天井構造）Ｂは、図３に示すように、野縁１と野縁受け２と吊り部材（吊りボルト）４と天井材６とを備えて構成されている。
【００１８】
野縁１は、例えば断面コ字状に形成された溝形鋼であり、水平に延設され、且つ水平の一方向の横方向Ｔ１に所定の間隔をあけ、平行に複数配設されている。
【００１９】
野縁受け２は、例えば断面コ字状に形成された溝形鋼であり、水平に延設され、且つ水平の他方向の横方向Ｔ２に所定の間隔をあけ、平行に複数配設されている。また、このとき、野縁受け２は、野縁１と交差するように配設されるとともに、複数の野縁１上に載置した状態で配設される。そして、各野縁受け２は、野縁１と交差する部分で、クリップを使用することにより野縁１に接続されている。
【００２０】
吊り部材４は、円柱棒状に形成されるとともに外周面に雄ネジの螺刻を有する吊りボルトであり、上端を上階の床材等の上部構造３（建物躯体）に固着、または鋼製の根太等に緊結して垂下され、下端側を、ハンガーを用いることにより野縁受け２に接続して複数配設されている。また、複数の吊り部材４は、所定の間隔をあけて分散配置されている。
【００２１】
天井材（天井パネル）６は、例えば２枚のボードを貼り付けて一体に積層形成したものであり、例えば天井付帯設備等の重量と併せて、１ｍ２あたり２０ｋｇ程度の重量で形成されている。そして、この天井材６は、複数の野縁１の下面にビス留めなどして設置されている。なお、天井材６は、１枚および３枚以上のボードで構成されていてもよい。
【００２２】
そして、この吊り天井Ｂでは、吊り部材４を介して建物の上部構造３に、野縁１と野縁受け２と天井材６とが吊り下げ支持されている。また、野縁１と野縁受け２によって天井下地７が形成され、この天井下地７と天井下地７に取り付けた天井材６によって天井部５、この天井部５によって下階の天井面がそれぞれ形成されている。
【００２３】
一方、本実施形態の吊り天井Ｂにおいては、図１及び図２に示すように、地震時に天井部５に作用する地震エネルギーを吸収し、地震後に天井部５を初期位置に戻す滑り機構（天井部横揺れ抑止機構）１５が設けられている。
【００２４】
そして、本実施形態の滑り機構１５は、天井部５の横方向外側の壁や柱などの建物躯体９に一端を接続し、横方向の天井部５側に突設される支持部１１と、天井部５に一端を接続して一体に設けられ、他端が支持部１１に当接する滑り部１２とを備えて構成されている。
【００２５】
本実施形態の支持部１１は、建物躯体９から天井部５の下方に重なるように突設されている。また、滑り部１２が当接する上面の当接面１３が一端側から天井部５の中央部側の他端側に向かうに従い漸次下方に傾斜する傾斜面として形成されている。
【００２６】
一方、本実施形態の滑り部１２は、天井部５の端部側に一端を接続し、下方に突設されている。また、滑り部１２は、支持部１１の当接面１３に当接するように配設されるとともに、少なくとも支持部１１の当接面１３に当接する当接面１４が適切な摩擦係数を有する滑り面、例えばテフロン（登録商標）などの滑り材を用いるなどした低摩擦係数の滑り面として形成されている。
【００２７】
そして、上記構成からなる本実施形態の吊り天井構造Ｂにおいては、地震によって天井部５に滑り面（当接面１４）の最大静止摩擦力以上の外力が作用すると、滑り機構１５の滑り部１２と支持部１１の摩擦が切れ、天井部５の横揺れに従動して支持部１１の当接面１３上を滑り部１２が滑動する。
【００２８】
また、支持部１１の当接面１３が一端側から天井部５側の他端側に向かうに従い漸次下方に傾斜する傾斜面として形成されているため、天井部５が建物躯体９に近づくように移動するとともに、支持部１１の当接面１３によって滑り部１２ひいては天井部５に初期位置に戻す方向の力が作用する。
【００２９】
これにより、地震時に天井部５が横揺れする際、滑り機構１５によって、天井部５に作用する地震力が低く抑えられて、その結果、天井部５の横揺れを抑止することができ、且つ地震後に天井部５が元の初期位置に戻る復元性を持たせることができる。
【００３０】
したがって、本実施形態の吊り天井構造Ｂにおいては、滑り機構１５を備えることで、補強ブレースを用いなくても天井部５の横揺れを抑止することができる。
【００３１】
そして、この滑り機構１５が建物躯体９に一端を接続して設置される支持部１１と、天井部５に一端を接続して設置される滑り部１２とで構成されるため、吊り天井構造Ｂの耐震改修を行う際に改修範囲が天井部５の端部側の局所で済み、補強ブレースを設置する場合のような大規模な改修作業を不要にできる。
【００３２】
これにより、建物を継続的に使用しながら天井耐震改修を行うことが可能になる。また、免震装置のような高価な機構を用いるのではなく、支持部１１と滑り部１２を設置するだけの簡易なシステムであるため、低コストで効果的な耐震性能を付与することができる。
【００３３】
以上、本発明に係る吊り天井構造の一実施形態について説明したが、本発明は上記の一実施形態に限定されるものではなく、その趣旨を逸脱しない範囲で適宜変更可能である。
【００３４】
例えば、本実施形態では、天井下地７が野縁１と野縁受け２を備えて構成されているものとしたが、本発明に係る天井下地は、必ずしも本実施形態のように限定しなくてもよく、例えば、吊りボルト（吊り部材）４に吊り下げ支持されて水平の一方向Ｔ１に所定の間隔をあけて並設されるとともに一方向Ｔ１に直交する他方向Ｔ２に延びる複数のＴバー（断面逆Ｔ型の支持部）８を備えて構成した天井下地７であってもよい。すなわち、本発明は、特に天井下地７の構成を限定する必要はない。
【００３５】
また、本実施形態では、滑り部１２の当接面１４が滑り面であるものとして説明を行ったが、支持部１１の当接面１３を滑り材を用いるなどして滑り面としたり、滑り部１２と支持部１１の両当接面１３、１４を共に滑り面として形成してもよい。この場合においても、本実施形態と同様の作用効果を得ることが可能である。
【符号の説明】
【００３６】
１      野縁
２      野縁受け
３      上部構造（建物躯体）
４      吊り部材（吊りボルト）
５      天井部
５ａ    端部
６      天井材（天井パネル）
７      天井下地
８      Ｔバー
９      建物構成部材（建物躯体）
１０    補強ブレース
１１    支持部
１２    滑り部
１３    当接面（傾斜面）
１４    当接面（滑り面）
１５    滑り機構
Ａ      従来の吊り天井（従来の吊り天井構造）
Ｂ      吊り天井（吊り天井構造）
Ｈ      天井裏空間
Ｔ１    横方向（一方向）
Ｔ２    横方向（他方向）
Ｔ３    上下方向
【図１】
2015218500.tif 000003
【図２】
2015218500.tif 000004
【図３】
2015218500.tif 000005
【図４】
2015218500.tif 000006